(57)【要約】  基準レベルに一致するように信号レベルを調整するユーザが、信号レベルと基準レベルとの差がどの程度あるのかを確認しながら信号レベルを調整することができる信号処理装置を提供する。  本発明にかかる信号処理装置は、入力信号が入力される入力部２０と、入力信号の増幅に用いられるパラメータの設定値と、設定値の基準値と、が記憶される記憶部４０と、設定値に基づいて、入力信号のレベルを増幅させて出力信号を生成する増幅部３０と、出力信号を出力する出力部７０と、設定値を調整する調整部５０と、調整部により調整された設定値と、基準値と、に基づいて決定される表示結果を表示する表示部６０と、を有してなり、表示結果は、設定値と基準値との関係が特定関係のときの特定表示結果と、設定値と基準値との関係が特定関係とは異なるときの非特定表示結果と、を含む、ことを特徴とする。
2018220947.tif 000002
【特許請求の範囲】
【請求項１】
入力信号が入力される入力部と、
前記入力信号の増幅に用いられるパラメータの設定値と、前記設定値の基準値と、が記憶される記憶部と、
前記設定値に基づいて、前記入力信号のレベルを増幅させて出力信号を生成する増幅部と、
前記出力信号を出力する出力部と、
前記設定値を調整する調整部と、
前記調整部により調整された前記設定値と、前記基準値と、に基づいて決定される表示結果を表示する表示部と、
を有してなり、
前記表示結果は、
前記設定値と前記基準値との関係が特定関係のときの特定表示結果と、
前記設定値と前記基準値との関係が前記特定関係とは異なるときの非特定表示結果と、
を含む、
ことを特徴とする信号処理装置。
【請求項２】
前記パラメータの前記設定値は、前記増幅部のゲイン値であり、
前記調整部は、前記基準値に基づき、前記ゲイン値を調整する、
請求項１記載の信号処理装置。
【請求項３】
前記特定表示結果は、前記設定値と前記基準値との差が所定範囲内のときにのみ表示される、
請求項１記載の信号処理装置。
【請求項４】
前記特定表示結果は、前記設定値が前記基準値に一致するときにのみ表示される、
請求項１記載の信号処理装置。
【請求項５】
前記表示部は、前記設定値に応じて異なる表示態様で表示する表示灯を備え、
前記表示態様は、
前記特定表示結果を表示する特定表示態様と、
前記非特定表示結果を表示する非特定表示態様と、
を含む、
請求項１記載の信号処理装置。
【請求項６】
前記特定表示態様は、点灯で、
前記非特定表示態様は、点滅である、
請求項５記載の信号処理装置。
【請求項７】
前記表示部は、前記表示灯を複数備え、
前記複数の表示灯のうち、前記非特定表示態様で表示するのは特定表示灯のみである、
請求項５記載の信号処理装置。
【請求項８】
前記記憶部は、前記設定値と、前記複数の表示灯それぞれの前記表示態様と、の関係を示す表示態様情報を記憶し、
前記表示部は、前記設定値と、前記表示態様情報と、に基づいて、前記複数の表示灯それぞれの前記表示態様を決定する、
請求項７記載の信号処理装置。
【請求項９】
前記表示部は、前記入力信号の音声信号レベルに基づいて、前記複数の表示灯それぞれの前記表示態様を決定する、
請求項８記載の信号処理装置。
【請求項１０】
前記パラメータは、少なくとも、ゲインと、入力レベルと、出力レベルと、のいずれかを含む、
請求項１記載の信号処理装置。
【請求項１１】
前記記憶部は、前記設定値を複数記憶し、
前記表示部は、複数の前記設定値それぞれに対応する複数の表示灯を備え、
前記複数の表示灯それぞれの表示態様は、前記表示灯に対応する前記設定値と、前記基準値と、の関係に応じて異なる、
請求項１記載の信号処理装置。
【請求項１２】
前記表示態様は、点灯と、点滅と、ディマー点灯と、を含む
請求項１１記載の信号処理装置。
【発明の詳細な説明】
【技術分野】
【０００１】
本発明は、信号処理装置に関する。
【背景技術】
【０００２】
複数の入力機器から入力される入力信号の混合、分配、バランス調整などを実行するミキサなどの信号処理装置は、信号のクリップやＳ／Ｎ比の劣化を防止するために、入力信号の信号レベルや出力信号の信号レベルが基準値に一致するように調整されて使用される。信号処理装置は、例えば、フロントパネルと、信号レベルを調整する調整ダイヤルと、調整された信号の信号レベルを表示する目盛と、を備える。信号処理装置のユーザは、目盛を見ながら調整ダイヤルを回して、信号レベルが基準レベルに一致するか否かを確認する。【０００３】
目盛は、１つの調整ダイヤルで調整される調整対象が増加すると、調整対象ごとに必要となる。フロントパネルに調整対象ごとの目盛が必要となると、フロントパネル上に全ての目盛を配置することが難しい。あるいは、全ての目盛をフロントパネル上に配置できたとしても、目盛の表示が煩雑となり、意匠性が損なわれる。その結果、信号処理装置のユーザにとって、調整結果の確認は、困難となり得る。【０００４】
これまでにも、目盛を見ながら調整することなく、信号レベルを基準レベルに調整させることができる信号処理装置が提案されている（特許文献１参照）。特許文献１に開示された信号処理装置は、信号レベルと基準レベルとの差が、所定の範囲内になったときにのみ、インジケータを点灯・点滅させる。すなわち、ユーザは、インジケータが点灯・点滅することで、信号レベルと基準値との差が、所定の範囲内の値になったことを認識することができる。
【先行技術文献】
【特許文献】
【０００５】
【特許文献１】特開２００３−０６９４０７号公報
【発明の概要】
【発明が解決しようとする課題】
【０００６】
しかし、特許文献１に開示された信号処理装置では、ユーザは、インジケータの消灯時には、信号レベルと基準レベルとの差がどの程度あるのかを確認することができない。【０００７】
本発明は、以上のような従来技術の問題点を解消するためになされたもので、基準レベルに一致するように信号レベルを調整するユーザが、信号レベルと基準レベルとの差がどの程度あるのかを確認しながら調整することができる信号処理装置を提供することを目的とする。
【課題を解決するための手段】
【０００８】
本発明にかかる信号処理装置は、入力信号が入力される入力部と、入力信号の増幅に用いられるパラメータの設定値と、設定値の基準値と、が記憶される記憶部と、設定値に基づいて、入力信号のレベルを増幅させて出力信号を生成する増幅部と、出力信号を出力する出力部と、設定値を調整する調整部と、調整部により調整された設定値と、基準値と、に基づいて決定される表示結果を表示する表示部と、を有してなり、表示結果は、設定値と基準値との関係が特定関係のときの特定表示結果と、設定値と基準値との関係が特定関係とは異なるときの非特定表示結果と、を含む、ことを特徴とする。
【発明の効果】
【０００９】
本発明によれば、基準レベルに一致するように信号レベルを調整するユーザが、信号レベルと基準レベルとの差がどの程度あるのかを確認しながら信号レベルを調整することができる信号処理装置を提供することができる。
【図面の簡単な説明】
【００１０】
【図１】本発明にかかる信号処理装置の実施の形態を示す機能ブロック図である。
【図２】図１の信号処理装置が備える増幅部による入力信号の増幅の様子を示す模式図である。
【図３】図１の信号処理装置の正面図である。
【図４】図１の信号処理装置が実行する設定値の調整処理を示すフローチャートである。
【図５】図４の調整処理に含まれるゲイン調整処理を示すフローチャートである。
【図６】図５のゲイン調整処理に含まれる第１ゲイン調整処理を示すフローチャートである。
【図７】図６の第１ゲイン調整処理で使用される表示態様情報の例を示す模式図である。
【図８】図６の第１ゲイン調整処理中に、図１の信号処理装置が備える表示部に表示される表示結果の例を示す模式図である。
【図９】図６の第１ゲイン調整処理中に、図１の信号処理装置が備える表示部に表示される表示結果の別の例を示す模式図である。
【図１０】図６の第１ゲイン調整処理中に、図１の信号処理装置が備える表示部に表示される表示結果のさらに別の例を示す模式図である。
【図１１】図６の第１ゲイン調整処理中に、図１の信号処理装置が備える表示部に表示される表示結果のさらに別の例を示す模式図である。
【図１２】図５のゲイン調整処理に含まれる第２ゲイン調整処理を示すフローチャートである。
【図１３】図１２の第２ゲイン調整処理で使用される表示態様情報の例を示す模式図である。
【図１４】図１３の第２ゲイン調整処理中に、図１の信号処理装置が備える表示部に表示される表示結果の例を示す模式図である。
【図１５】図１３の第２ゲイン調整処理中に、図１の信号処理装置が備える表示部に表示される表示結果の別の例を示す模式図である。
【図１６】図４の調整処理に含まれるレベル調整処理を示すフローチャートである。
【図１７】図１６のレベル調整処理に含まれる入力レベル調整処理を示すフローチャートである。
【図１８】図１７の入力レベル調整処理で使用される表示態様情報の例を示す模式図である。
【図１９】図１６のレベル調整処理に含まれる出力レベル調整処理を示すフローチャートである。
【図２０】図１８の出力レベル調整処理で使用される表示態様情報の例を示す模式図である。
【発明を実施するための形態】
【００１１】
以下、図面を参照しながら、本発明にかかる信号処理装置の実施の形態について説明する。
【００１２】
●信号処理装置の構成●
図１は、本発明にかかる信号処理装置（以下「本装置」という。）の実施の形態を示す機能ブロック図である。
【００１３】
以下の説明は、入力機器が接続される複数の入力チャンネルと、出力機器が接続される複数の出力チャンネルと、を備え、入力チャンネルから入力される音声信号を増幅させて出力チャンネルから出力するデジタルミキサの場合を例に説明する。すなわち、デジタルミキサは、本装置の例である。
【００１４】
本装置１は、入力部２０と、増幅部３０と、記憶部４０と、調整部５０と、表示部６０と、出力部７０と、を有してなる。
【００１５】
入力部２０は、例えば、マイクロホンなどの入力機器（不図示）からの入力信号を受信する。
【００１６】
増幅部３０は、入力部２０からの入力信号をパラメータごとの設定値に基づいて増幅して出力信号を生成する。
【００１７】
パラメータごとの設定値は、本装置１が入力信号を増幅する際に用いるパラメータごとの値である。本装置１が入力信号の増幅に用いるパラメータは、入力チャンネルごとに設定される入力レベルと、出力チャンネルごとに設定される出力レベルと、ゲインと、を含む。すなわち、本装置１が入力信号の増幅に用いるパラメータの設定値は、入力レベル値と、出力レベル値と、ゲイン値と、である。本装置１は、後述する方法により調整されて設定されたパラメータごとの設定値に基づいて、入力信号を増幅する。
【００１８】
図２は、増幅部３０による入力信号の増幅の様子を示す模式図である。
同図は、入力部２０からの入力信号のレベルＡが、入力チャンネルに設定された入力レベル値ＩＬに基づいて「Ａ×ＩＬ」に増幅され、さらにゲイン値Ｇに基づいて「Ａ×ＩＬ×Ｇ」に増幅され、さらに、出力チャンネルに設定された出力レベル値ＯＬに基づいて「Ａ×ＩＬ×Ｇ×ＯＬ」に増幅されて出力されることを示す。「Ａ×ＩＬ×Ｇ×ＯＬ」は、本装置１が入力信号を増幅して生成した出力信号のレベルである。
【００１９】
図１に戻る。
記憶部４０は、本装置１が動作する際に必要となる情報、例えば、パラメータごとの、設定値と、設定値の基準値と、表示態様情報と、を記憶する。
【００２０】
パラメータごとの設定値の基準値は、本装置１が設定値の調整の際に用いるパラメータごとの値である。本装置１は、第１ゲイン調整処理で参照する第１基準値と、第２ゲイン調整処理で参照する第２基準値と、入力レベル調整処理で参照する第３基準値と、出力レベル調整処理で参照する第４基準値と、を用いる。各調整処理や基準値については、後述する。
【００２１】
パラメータごとの表示態様情報は、パラメータごとの、設定値と、基準値と、設定値と基準値との関係に基づいて表示部６０に表示される表示結果と、の組み合せを示す情報である。
【００２２】
調整部５０は、パラメータごとの設定値を調整する。
【００２３】
表示部６０は、パラメータごとに、調整部５０により調整された設定値と、基準値と、表示態様情報と、に基づいて決定される表示結果を表示する。
【００２４】
表示結果は、設定値と基準値との関係が特定関係のときの特定表示結果と、設定値と基準値との関係が特定関係とは異なるときの非特定表示結果と、を含む。本実施の形態において、特定関係は、設定値が基準値に一致する関係をいい、特定表示結果は、基準値に対応する表示灯が点灯した表示態様（特定表示態様）により表示される表示結果をいい、非特定表示結果は、基準値に対応する表示灯が点滅した表示態様（非特定表示態様）により表示される表示結果をいう。
【００２５】
なお、本発明において、特定関係は、設定値と基準値との差が所定範囲内の関係でもよく、このような場合にのみ、特定表示結果が表示されてもよい。
【００２６】
出力部７０は、増幅部３０で生成された出力信号を、例えば、スピーカなどの外部機器（不図示）に出力する。
【００２７】
図３は、本装置１の正面図である。
本装置１は、モードボタン１１と、入力チャンネルごとの入力チャンネルボタン２１（２１ａ，２１ｂ，２１ｃ，２１ｄ，２１ｅ，２１ｆ）と、出力チャンネルごとの出力チャンネルボタン７１（７１ａ，７１ｂ）と、調整部５０を構成する調整ダイヤル５１と、表示部６０を構成する表示灯６１（６１ａ，６１ｂ，６１ｃ，６１ｄ，６１ｅ，６１ｆ，６１ｇ，６１ｈ，６１ｉ，６１ｊ，６１ｋ，６１ｌ，６１ｍ）と、を備える。同図は、本装置１が６個の入力チャンネルボタン２１と、２個の出力チャンネルボタン７１と、１３個の表示灯６１と、を備えることを示す。
【００２８】
複数の表示灯６１のうち、非特定表示態様で点滅するのは、後述するとおり、基準値に対応する表示灯６１ｇである。すなわち、基準値に対応する表示灯６１ｇは、特定表示灯である。
【００２９】
モードボタン１１は、本装置１のユーザが本装置１の動作モードを切り替える際に押下操作するボタンである。本装置１の動作モードは、運用モードと調整モードとを含む。調整モードは、ゲイン調整モードとレベル調整モードとを含む。
【００３０】
運用モードで動作中の本装置１は、入力チャンネルを介して入力機器から入力される入力信号を、調整済の（設定された）パラメータごとの設定値に基づいて増幅して出力信号を生成し、同出力信号を出力チャンネルを介して出力する。入力チャンネルと、出力信号が出力される出力チャンネルと、の組合せは、あらかじめ本装置１のユーザが本装置１の入力手段（不図示）を操作することにより設定されて、記憶部４０に記憶されている。
【００３１】
調整モードで動作中の本装置１は、後述するゲイン調整処理とレベル調整処理とを実行する。
【００３２】
本装置１は、調整モードで動作中に、ユーザによりモードボタン１１が押下操作されると、ゲイン調整処理とレベル調整処理とを切り替える。すなわち、例えば、本装置１は、電源が投入されると運用モードで動作する。運用モードで動作中に、ユーザによりモードボタン１１が押下操作されると、本装置１の動作モードは、調整モードに切り替わり、ゲイン調整処理に含まれる第１ゲイン調整処理を実行可能となる。第１ゲイン調整処理を実行可能な状態（第１ゲイン調整処理の実行中を含む。以下、同じ。）で、ユーザによりモードボタン１１が押下操作されると、本装置１は、ゲイン調整処理に含まれる第２ゲイン調整処理を実行可能となる。第２ゲイン調整処理を実行可能な状態で、ユーザによりモードボタン１１が押下操作されると、本装置１は、レベル調整処理に含まれる入力レベル調整処理を実行可能となる。入力レベル調整処理を実行可能な状態で、ユーザによりモードボタン１１が押下操作されると、本装置１は、出力レベル調整処理を実行可能となる。出力レベル調整処理が実行可能な状態で、ユーザによりモードボタン１１が押下操作されると、本装置１の動作モードは、運用モードに切り替わる。
【００３３】
このように、モードボタン１１が押下操作されるごとに、本装置１の動作モードは、「運用モード」→「調整モード」（「第１ゲイン調整処理」→「第２ゲイン調整処理」→「入力レベル調整処理」→「出力レベル調整処理」）→「運用モード」に切り替わる。各調整処理の具体的な内容は、後述する。
【００３４】
入力チャンネルボタン２１は、本装置１のユーザが、本装置１に接続されている入力機器のうち、調整の対象となる入力機器が接続されている入力チャンネルを選択するために押下操作するボタンである。
【００３５】
出力チャンネルボタン７１は、本装置１のユーザが、本装置１に接続されている外部機器のうち、調整の対象となる外部機器が接続されている出力チャンネルを選択するために押下操作するボタンである。
【００３６】
調整ダイヤル５１は、本装置１のユーザが、パラメータの設定値を調整するために回転操作するダイヤルである。調整ダイヤル５１が回転操作されると、本装置１に内蔵された可変抵抗器（不図示）の抵抗値が変化する。本装置１は、この抵抗値の大きさに基づいて、調整中のパラメータの設定値を測定する。抵抗値とパラメータの設定値との対応関係など、本装置１が調整ダイヤル５１の回転操作後のパラメータの設定値を特定するために必要な情報は、記憶部４０に記憶されている。調整ダイヤル５１により調整された設定値は、可変抵抗器の抵抗値の大きさに対応する。
【００３７】
表示灯６１は、調整ダイヤル５１により調整された設定値と、基準値と、表示態様情報と、に基づいて決定される表示結果を表示する。
【００３８】
●本装置の調整処理●
次に、本装置１が実行するパラメータごとの設定値の調整処理について説明する。
【００３９】
図４は、設定値の調整処理を示すフローチャートである。
【００４０】
先ず、本装置１は、ゲイン調整処理（Ｓ１）を実行する。ゲイン調整処理（Ｓ１）の具体的な処理内容は、後述する。
【００４１】
次いで、本装置１は、レベル調整処理（Ｓ２）を実行する。レベル調整処理（Ｓ２）の具体的な処理内容は、後述する。
【００４２】
●ゲイン調整処理
次に、ゲイン調整処理（Ｓ１）について説明する。
ゲイン調整処理（Ｓ１）は、入力チャンネルごとの増幅率（ゲイン値）を調整する処理である。
【００４３】
図５は、ゲイン調整処理（Ｓ１）を示すフローチャートである。
【００４４】
先ず、本装置１は、第１ゲイン調整処理（Ｓ１１）を実行する。第１ゲイン調整処理（Ｓ１１）の具体的な処理内容は、後述する。
【００４５】
次いで、本装置１は、第２ゲイン調整処理（Ｓ１２）を実行する。第２ゲイン調整処理（Ｓ１２）の具体的な処理内容は、後述する。
【００４６】
●第１ゲイン調整処理
次に、第１ゲイン調整処理（Ｓ１１）について説明する。
第１ゲイン調整処理（Ｓ１１）は、入力チャンネルごとに設定されて記憶部４０に記憶されているゲイン値（現ゲイン値）が第１基準値に一致するように現ゲイン値を調整する処理である。入力チャンネルごとの現ゲイン値は、記憶部４０に記憶されている。
【００４７】
図６は、第１ゲイン調整処理（Ｓ１１）を示すフローチャートである。
【００４８】
先ず、本装置１は、調整の対象の入力チャンネルを選択する（Ｓ１１１）。すなわち、本装置１は、ユーザにより押下操作された入力チャンネルボタン２１に対応する入力チャンネルを調整の対象の入力チャンネルとして選択する。
【００４９】
次いで、本装置１は、第１基準値に対応する表示灯６１を点滅させる（Ｓ１１２）。また、同時に、本装置１は、選択された入力チャンネルの現ゲイン値に対応する表示灯６１を点灯させる（Ｓ１１３）。
【００５０】
図７は、第１ゲイン調整処理（Ｓ１１）で使用される表示態様情報を示す模式図である。
同図は、ゲイン値と、表示灯６１を特定する情報と、表示灯６１の表示態様と、が記憶部４０に関連付けて記憶されていることを示す。
【００５１】
ここで、図３に示されるように、表示灯６１を特定する情報は、「１」が第１表示灯６１ａ、「２」が第２表示灯６１ｂ、「３」が第３表示灯６１ｃ、「４」が第４表示灯６１ｄ、「５」が第５表示灯６１ｅ、「６」が第６表示灯６１ｆ、「７」が第７表示灯６１ｇ、「８」が第８表示灯６１ｈ、「９」が第９表示灯６１ｉ、「１０」が第１０表示灯６１ｊ、「１１」が第１１表示灯６１ｋ、「１２」が第１２表示灯６１ｌ、「１３」が第１３表示灯６１ｍ、を示す。以下、特に特定の表示灯を説明するものではない場合、同表示灯は、単に「表示灯６１」と示す。
【００５２】
また、同図は、１個の表示灯６１に、複数のゲイン値（１３個の表示灯６１ａ，・・・，６１ｍのうち、第１表示灯６１ａは４つのゲイン値、その他の表示灯６１ｂ，・・・，６１ｍは３つのゲイン値）と、各ゲイン値に応じた表示態様と、が対応することを示す。すなわち、例えば、第５表示灯６１ｅ（図７の表示灯「５」）の表示態様は、ゲイン値が「＋３４ｄＢ」のとき「ディマー１点灯」で、ゲイン値が「＋３５ｄＢ」のとき「ディマー２点灯」で、ゲイン値が「＋３６ｄＢ」のとき「点灯」である。ディマーは、表示灯６１の調光された明るさである。「ディマー１点灯」では表示灯６１が調光された明るさｂ１で点灯し、「ディマー２点灯」では調光された明るさｂ２で点灯し、「点灯」では調光されない明るさｂ３で点灯する。各明るさｂ１−ｂ３の関係は、ｂ１＜ｂ２＜ｂ３の関係である。つまり、表示灯６１の表示態様は、対応するゲイン値（設定値）に応じて異なる。
【００５３】
なお、１個の表示灯に対応する複数のゲイン値と各ゲイン値に応じた表示態様とは、ディマー点灯に限られない。すなわち、例えば、１個の表示灯に対応する複数のゲイン値と各ゲイン値に応じた表示態様とは、表示灯の点灯色をゲイン値に応じてそれぞれ異なる色に点灯させてもよい。
【００５４】
さらに、同図は、第１基準値が「＋４０ｄＢ」であることを示す。また、同図は、第１基準値「＋４０ｄＢ」に対応する「第７表示灯６１ｇ」の表示態様が、現ゲイン値が第１基準値に一致するときは「点灯」であり、現ゲイン値が第１基準値以外のときは「点滅」であることを示す。すなわち、第１基準値に対応する第７表示灯６１ｇの表示態様は、後述するように、現ゲイン値が第１基準値に一致するまで「点滅」を繰り返し、現ゲイン値が第１基準値に一致すると「点灯」に変わる。本装置１のユーザは、複数の表示灯６１ａ，・・・，６１ｍのうち、点滅している第７表示灯６１ｇが点灯に変わることで、現ゲイン値が第１基準値に一致したこと、つまり、第１ゲイン調整処理におけるゲイン値の調整が完了したことを把握することができる。
【００５５】
ここで、例えば、現ゲイン値に対応する表示灯６１が「第５表示灯６１ｅ」のとき、１３個の表示灯６１のうち現ゲイン値より小さいゲイン値に対応する「第１表示灯６１ａ」「第２表示灯６１ｂ」「第３表示灯６１ｃ」「第４表示灯６１ｄ」それぞれの表示態様も「点灯」である。現ゲイン値に対応する第５表示灯６１ｅの表示態様は、現ゲイン値の値に応じて、ディマー１点灯、ディマー２点灯、点灯、のいずれかである。
【００５６】
また、１３個の表示灯６１のうち、現ゲイン値に対応する表示灯６１と、現ゲイン値より小さいゲイン値に対応する表示灯６１と、第１基準値に対応する表示灯６１と、を除くその他の表示灯６１の表示態様は、「消灯」である。すなわち、例えば、現ゲイン値に対応する表示灯６１が「第５表示灯６１ｅ」で、第１基準値に対応する表示灯６１が「第７表示灯６１ｇ」のとき、「第６表示灯６１ｆ」「第８表示灯６１ｈ」「第９表示灯６１ｉ」「第１０表示灯６１ｊ」「第１１表示灯６１ｋ」「第１２表示灯６１ｌ」「第１３表示灯６１ｍ」それぞれの表示態様は、「消灯」である。  
【００５７】
図８は、第１ゲイン調整処理（Ｓ１１）中に、表示部６０に表示される表示結果の模式図である。同図において、表示灯６１の表示態様のうち、「点灯」は、黒表示、「消灯」は、白抜き表示、「点滅」は、黒表示の周縁のみ白抜きにした表示としてある（以下、同じ。）。
同図は、現ゲイン値が＋３６ｄＢで、第１表示灯６１ａから第５表示灯６１ｅまでが点灯し、第１基準値に対応する第７表示灯６１ｇが点滅していることを示す。すなわち、同図は、現ゲイン値と第１基準値とが一致していないこと、具体的には、現ゲイン値が第１基準値に達していないことを示す。
【００５８】
図６に戻る。
次いで、本装置１は、ユーザによる調整ダイヤル５１の調整操作に応じて現ゲイン値を調整（変更）する（Ｓ１１４）。このとき、ユーザは、調整ダイヤル５１を図３において時計回り（以下、同じ。）に回転させて現ゲイン値を調整する。
【００５９】
次いで、本装置１は、調整後の現ゲイン値に対応する表示灯６１を点灯させる（Ｓ１１５）。
【００６０】
次いで、本装置１は、現ゲイン値と第１基準値とが一致したか否かを判断する（Ｓ１１６）。
【００６１】
図９は、第１ゲイン調整処理（Ｓ１１）中に、表示部６０に表示される表示結果の別の模式図である。
同図は、現ゲイン値が＋３９ｄＢで、第１表示灯６１ａから第６表示灯６１ｆまでが点灯し、第１基準値に対応する第７表示灯６１ｇが点滅していることを示す。すなわち、同図は、現ゲイン値と第１基準値とが一致していないこと、具体的には、未だ現ゲイン値が第１基準値に達していないことを示す。
【００６２】
図６に戻る。
現ゲイン値と第１基準値とが一致していないと判断されたとき（Ｓ１１６の「Ｎｏ」）、本装置１は、現ゲイン値と第１基準値とが一致するまでユーザの調整操作に応じて現ゲイン値を再度調整する（Ｓ１１４）。このとき、ユーザは、調整ダイヤル５１を時計回りに回転させて現ゲイン値を調整する。
【００６３】
図１０は、第１ゲイン調整処理（Ｓ１１）中に、表示部６０に表示される表示結果のさらに別の模式図である。
同図は、現ゲイン値が＋４５ｄＢで、第１表示灯６１ａから第６表示灯６１ｆまでと、第８表示灯６１ｈと、が点灯し、第１基準値に対応する第７表示灯６１ｇが点滅していることを示す。すなわち、同図は、現ゲイン値と第１基準値とが一致していないことを示し、具体的には、現ゲイン値が第１基準値を超えていることを示す。
【００６４】
図６に戻る。
現ゲイン値と第１基準値とが一致していないと判断されたとき（Ｓ１１６の「Ｎｏ」）、本装置１は、一致するまでユーザの調整操作に応じて現ゲイン値を再度調整する（Ｓ１１４）。このとき、ユーザは、調整ダイヤル５１を反時計回りに回転させて現ゲイン値を調整する。
【００６５】
図１１は、第１ゲイン調整処理中に、表示部６０に表示される表示結果のさらに別の模式図である。
同図は、現ゲイン値が＋４０ｄＢであり、第１表示灯６１ａから第７表示灯６１ｇまでが点灯していることを示す。すなわち、同図は、現ゲイン値と第１基準値とが一致していることを示す。
【００６６】
図６に戻る。
現ゲイン値と第１基準値とが一致していると判断されたとき（Ｓ１１６の「Ｙｅｓ」）、本装置１は、点滅していた第１基準値に対応する第７表示灯６１ｇを点灯させる（Ｓ１１７）。第１基準値に一致した現ゲイン値は、ユーザによる確定操作、例えば、調整ダイヤル５１の押下操作に基づいて、選択された入力チャンネルのゲイン値として記憶部４０に記憶される。
【００６７】
●第２ゲイン調整処理
次に、第２ゲイン調整処理（Ｓ１２）について説明する。
第２ゲイン調整処理（Ｓ１２）は、設定対象の入力チャンネルに接続された入力機器からの音声信号レベルが第２基準値に一致するように第１ゲイン調整処理（Ｓ１１）で調整されて記憶部４０に記憶された入力チャンネルごとのゲイン値を調整する処理である。
【００６８】
図１２は、第２ゲイン調整処理（Ｓ１２）を示すフローチャートである。
【００６９】
先ず、本装置１は、調整の対象の入力チャンネルを選択する（Ｓ１２１）。すなわち、本装置１は、ユーザにより押下操作された入力チャンネルボタン２１に対応する入力チャンネルを調整の対象の入力チャンネルとして選択する。
【００７０】
なお、入力チャンネルの選択は、第１ゲイン調整処理の後に続けて同じ入力チャンネルに対する第２ゲイン調整処理が実行される場合、省略される。
【００７１】
次いで、本装置１は、第２基準値に対応する表示灯６１を点滅させる（Ｓ１２２）。また、同時に、本装置１は、選択された入力チャンネルに接続された入力機器からの入力信号の音声信号レベル（現音声信号レベル）に対応する表示灯６１を点灯させる（Ｓ１２３）。ここで、本装置１は、入力機器からの入力信号がないとき、第１表示灯６１ａのみ点灯させる。
【００７２】
図１３は、第２ゲイン調整処理（Ｓ１２）で使用される表示態様情報を示す模式図である。
同図は、音声信号レベルと、表示灯６１を特定する情報と、表示灯６１の表示態様と、が記憶部４０に関連付けて記憶されていることを示す。
【００７３】
また、同図は、１個の表示灯６１に、複数の範囲の音声信号レベル（ただし、１３個の表示灯６１ａ，・・・，６１ｍのうち、第１表示灯６１ａと第７表示灯６１ｇと第１３表示灯６１ｍとは、１つの範囲の音声信号レベル）と、各音声信号レベルの範囲に応じた表示態様と、が対応することを示す。すなわち、例えば、第５表示灯６１ｅ（図１３の表示灯「５」）の表示態様は、音声信号レベルが「−２９ｄＢＦＳ〜−２８ｄＢＦＳ」のとき「ディマー１点灯」で、音声信号レベルが「−２８ｄＢＦＳ〜−２６ｄＢＦＳ」のとき「ディマー２点灯」で、音声信号レベルが「−２６ｄＢＦＳ〜−２５ｄＢＦＳ」のとき「点灯」である。つまり、表示灯６１の表示態様は、対応する音声信号レベル（設定値）に応じて異なる。
【００７４】
なお、１個の表示灯に対応する複数の範囲の音声信号レベルと各音声信号レベルの範囲に応じた表示態様とは、ディマー点灯に限られない。すなわち、１個の表示灯に対応する複数の範囲の音声信号レベルと各音声信号レベルの範囲に応じた表示態様とは、表示灯の点灯色を音声信号レベルに応じてそれぞれ異なる色に点灯させてもよい。
【００７５】
さらに、同図は、第２基準値が「−２２ｄＢＦＳ〜−１８ｄＢＦＳ」であることを示す。また、第２基準値「−２２ｄＢＦＳ〜−１８ｄＢＦＳ」に対応する「第７表示灯６１ｇ」の表示態様は、調整中の音声信号レベル（現音声信号レベル）が第２基準値に一致するときは「点灯」であり、現音声信号レベルが第２基準値以外のときは「点滅」であることを示す。すなわち、第２基準値に対応する第７表示灯６１ｇの表示態様は、後述するように、現音声信号レベルが第２基準値に一致するまで「点滅」を繰り返し、現音声信号レベルが第２基準値に一致すると「点灯」に変わる。本装置１のユーザは、複数の表示灯６１ａ，・・・，６１ｍのうち、点滅している第７表示灯６１ｇが点灯に変わることで、現音声信号レベルが第２基準値に一致したこと、つまり、第２ゲイン調整処理におけるゲイン値の調整が完了したことを把握することができる。
【００７６】
ここで、例えば、現音声信号レベルに対応する表示灯６１が「第５表示灯６１ｅ」のとき、１３個の表示灯６１のうち現音声信号レベルより小さい音声信号レベルに対応する「第１表示灯６１ａ」「第２表示灯６１ｂ」「第３表示灯６１ｃ」「第４表示灯６１ｄ」それぞれの表示態様も「点灯」である。現音声信号レベルに対応する第５表示灯６１ｅの表示態様は、現音声信号レベルに応じて、ディマー１点灯、ディマー２点灯、点灯、のいずれかである。
【００７７】
また、１３個の表示灯６１のうち、現音声信号レベルに対応する表示灯６１と、現音声信号レベルより小さい音声信号レベルに対応する表示灯６１と、第２基準値に対応する表示灯６１と、を除くその他の表示灯６１の表示態様は、「消灯」である。すなわち、例えば、現音声信号レベルに対応する表示灯６１が「第５表示灯６１ｅ」で、第２基準値に対応する表示灯６１が「第７表示灯６１ｇ」のとき、「第６表示灯６１ｆ」「第８表示灯６１ｈ」「第９表示灯６１ｉ」「第１０表示灯６１ｊ」「第１１表示灯６１ｋ」「第１２表示灯６１ｌ」「第１３表示灯６１ｍ」それぞれの表示態様は、「消灯」である。
【００７８】
図１２に戻る。
次いで、本装置１には、入力機器から音声信号が入力される（Ｓ１２４）。
【００７９】
次いで、本装置１は、入力された音声信号の現音声信号レベルに対応する表示灯６１を点灯させる（Ｓ１２５）。
【００８０】
次いで、本装置１は、ユーザの調整操作に応じて現ゲイン値を調整する（Ｓ１２６）。
【００８１】
次いで、本装置１は、調整後の現ゲイン値の音声信号の現音声信号レベルに対応する表示灯６１を点灯させる（Ｓ１２７）。
【００８２】
次いで、本装置１は、現音声信号レベルと第２基準値とが一致したか否かを判断する（Ｓ１２８）。
【００８３】
図１４は、第２ゲイン調整処理（Ｓ１２）中に、表示部６０に表示される表示結果の模式図である。
同図は、現音声信号レベルが−２３ｄＢＦＳ〜−２２ｄＢＦＳの範囲内で、第１表示灯６１ａから第６表示灯６１ｆまでが点灯し、第２基準値に対応する第７表示灯６１ｇが点滅していることを示す。すなわち、同図は、現音声信号レベルと第２基準値とが一致していないこと、具体的には、現音声信号レベルが第２基準値に達していないことを示す。
【００８４】
図１２に戻る。
現音声信号レベルと第２基準値とが一致していないと判断されたとき（Ｓ１２８の「Ｎｏ」）、本装置１は、現音声信号レベルと第２基準値とが一致するまでユーザの調整操作に応じて現ゲイン値を再度調整する（Ｓ１２６）。このとき、ユーザは、調整ダイヤル５１を時計回りに回転させて現音声信号レベルを調整する。
【００８５】
図１５は、第２ゲイン調整処理中に、表示部６０に表示される表示結果の別の模式図である。
同図は、現音声信号レベルが−２２ｄＢＦＳ〜−１８ｄＢＦＳの範囲内で、第１表示灯６１ａから第７表示灯６１ｇまでが点灯していることを示す。すなわち、同図は、現音声信号レベルと第２基準値とが一致していることを示す。
【００８６】
図１２に戻る。
現音声信号レベルと第２基準値とが一致していると判断されたとき（Ｓ１２８の「Ｙｅｓ」）、本装置１は、点滅していた第２基準値に対応する第７表示灯６１ｇを点灯させる（Ｓ１２９）。調整された現ゲイン値は、ユーザによる確定操作、例えば、調整ダイヤル５１の押下操作に基づいて、選択された入力チャンネルのゲイン値として記憶部４０に記憶される。
【００８７】
●レベル調整処理
次に、レベル調整処理（Ｓ２）について説明する。
レベル調整処理（Ｓ２）は、入力チャンネルごと、および、出力チャンネルごとのボリューム値（音声信号のレベル値）を調整する処理である。
【００８８】
図１６は、レベル調整処理（Ｓ２）を示すフローチャートである。
【００８９】
先ず、本装置１は、入力レベル調整処理（Ｓ２１）を実行する。入力レベル調整処理の具体的な処理内容は、後述する。
【００９０】
次いで、本装置１は、出力レベル調整処理（Ｓ２２）を実行する。出力レベル調整処理の具体的な処理内容は、後述する。
【００９１】
●入力レベル調整処理
次に、入力レベル調整処理（Ｓ２１）について説明する。
入力レベル調整処理（Ｓ２１）は、入力レベル値が第３基準値に一致するように、入力チャンネルごとに設定されて記憶部４０に記憶されているボリューム値（現入力レベル値）を調整する処理である。
【００９２】
図１７は、入力レベル調整処理（Ｓ２１）を示すフローチャートである。
【００９３】
先ず、本装置１は、調整の対象の入力チャンネルを選択する（Ｓ２１１）。すなわち、本装置１は、ユーザにより押下された入力チャンネルボタン２１に対応する入力チャンネルを調整の対象の入力チャンネルとして選択する。
【００９４】
次いで、本装置１は、第３基準値に対応する表示灯６１を点滅させる（Ｓ２１２）。また、同時に、本装置１は、選択された入力チャンネルの現入力レベル値に対応する表示灯６１を点灯させる（Ｓ２１３）。
【００９５】
図１８は、入力レベル調整処理（Ｓ２１）で使用される表示態様情報を示す模式図である。
同図は、入力レベル値と、表示灯６１を特定する情報と、表示灯６１の表示態様と、が記憶部４０に関連付けて記憶されていることを示す。
【００９６】
また、同図は、１個の表示灯６１に、複数の入力レベル値（１３個の表示灯６１ａ，・・・，６１ｍのうち、第１表示灯６１ａは４つの入力レベル値、その他の表示灯６１ｂ，・・・，６１ｍは３つの入力レベル値）と、各入力レベル値に応じた表示態様と、が対応することを示す。すなわち、例えば、第５表示灯６１ｅ（図１８の表示灯「５」）の表示態様は、入力レベル値が「−２６ｄＢｕ」のとき「ディマー１点灯」で、入力レベル値が「−２４ｄＢｕ」のとき「ディマー２点灯」で、入力レベル値が「−２２ｄＢｕ」のとき「点灯」である。つまり、表示灯６１の表示態様は、対応する入力レベル値（設定値）に応じて異なる。
【００９７】
なお、１個の表示灯に対応する複数の入力レベル値と各入力レベル値に応じた表示態様とは、ディマー点灯に限られない。すなわち、１個の表示灯に対する複数の入力レベル値と各入力レベル値に応じた表示態様とは、表示灯の点灯色を入力レベル値に応じてそれぞれ異なる色に点灯させてもよい。
【００９８】
さらに、同図は、第３基準値が「０ｄＢｕ」であることを示す。また、第３基準値「０ｄＢｕ」に対応する「第７表示灯６１ｇ」の表示態様は、調整中の入力レベル値（現入力レベル値）が第３基準値に一致するときは「点灯」であり、現入力レベル値が第３基準値以外のときは「点滅」であることを示す。すなわち、第３基準値に対応する第７表示灯６１ｇの表示態様は、後述するように、現入力レベル値が第３基準値に一致するまで「点滅」を繰り返し、現入力レベル値が第３基準値に一致すると「点灯」に変わる。本装置１のユーザは、複数の表示灯６１ａ，・・・，６１ｍのうち、点滅している第７表示灯６１ｇが点灯に変わることで、現入力レベル値が第３基準値に一致したこと、つまり、入力レベル調整処理における入力レベル値の調整が完了したことを把握することができる。
【００９９】
ここで、例えば、現入力レベル値に対応する表示灯６１が「第５表示灯６１ｅ」のとき、１３個の表示灯６１のうち現入力レベル値より小さい入力レベル値に対応する「第１表示灯６１ａ」「第２表示灯６１ｂ」「第３表示灯６１ｃ」「第４表示灯６１ｄ」それぞれの表示態様も「点灯」である。現入力レベル値に対応する第５表示灯６１ｅの表示態様は、現入力レベル値に応じて、ディマー１点灯、ディマー２点灯、点灯、のいずれかである。
【０１００】
また、１３個の表示灯のうち、現入力レベル値に対応する表示灯６１と、現入力レベル値より小さい入力レベル値に対応する表示灯６１と、第３基準値に対応する表示灯６１と、を除くその他の表示灯６１の表示態様は、「消灯」である。すなわち、例えば、現入力レベル値に対応する表示灯６１が「第５表示灯６１ｅ」で、第３基準値に対応する表示灯６１が「第７表示灯６１ｇ」のとき、「第６表示灯６１ｆ」「第８表示灯６１ｈ」「第９表示灯６１ｉ」「第１０表示灯６１ｊ」「第１１表示灯６１ｋ」「第１２表示灯６１ｌ」「第１３表示灯６１ｍ」それぞれの表示態様は、「消灯」である。
【０１０１】
図１７に戻る。
次いで、本装置１は、ユーザの調整操作に応じて現入力レベル値を調整する（Ｓ２１４）。
【０１０２】
次いで、本装置１は、調整後の現入力レベル値に対応する表示灯６１を点灯させる（Ｓ２１５）。
【０１０３】
次いで、本装置１は、現入力レベル値と第３基準値とが一致したか否かを判断する（Ｓ２１６）。
【０１０４】
現入力レベル値と第３基準値とが一致していないと判断されたとき（Ｓ２１６の「Ｎｏ」）、本装置１は、一致するまでユーザの調整操作に応じて現入力レベル値を再度調整する（Ｓ２１４）。
【０１０５】
現入力レベル値と第３基準値とが一致していると判断されたとき（Ｓ２１６の「Ｙｅｓ」）、本装置１は、点滅していた第３基準値に対応する第７表示灯６１ｇを点灯させる（Ｓ２１７）。第３基準値に一致した現入力レベル値は、ユーザによる確定操作、例えば、調整ダイヤル５１の押下操作に基づいて、選択された入力チャンネルの入力レベル値として記憶部４０に記憶される。
【０１０６】
●出力レベル調整処理
次に、出力レベル調整処理（Ｓ２２）について説明する。
出力レベル調整処理（Ｓ２２）は、出力レベル値が第４基準値に一致するように、出力チャンネルごとに設定されて記憶部４０に記憶されているボリューム値（現出力レベル値）を調整する処理である。
【０１０７】
図１９は、出力レベル調整処理（Ｓ２２）を示すフローチャートである。
【０１０８】
先ず、本装置１は、調整の対象の出力チャンネルを選択する（Ｓ２２１）。すなわち、本装置１は、ユーザにより押下された出力チャンネルボタン７１に対応する出力チャンネルを調整の対象の出力チャンネルとして選択する。
【０１０９】
次いで、本装置１は、第４基準値に対応する表示灯６１を点滅させる（Ｓ２２２）。また、同時に、本装置１は、選択された出力チャンネルの現出力レベル値に対応する表示灯６１を点灯させる（Ｓ２２３）。
【０１１０】
図２０は、出力レベル調整処理（Ｓ２１）で使用される表示態様情報を示す模式図である。
同図は、出力レベル値と、表示灯６１を特定する情報と、表示灯６１の表示態様と、が記憶部４０に関連付けて記憶されていることを示す。
【０１１１】
また、同図は、１個の表示灯６１に、複数の出力レベル値（１３個の表示灯６１ａ，・・・，６１ｍのうち、第１表示灯６１ａは４つの出力レベル値、その他の表示灯６１ｂ，・・・，６１ｍは３つの出力レベル値）と、各出力レベル値に応じた表示態様と、が対応することを示す。すなわち、例えば、第５表示灯６１ｅ（図２０の表示灯「５」）の表示態様は、出力レベル値が「−２６ｄＢｕ」のとき「ディマー１点灯」で、出力レベル値が「−２４ｄＢｕ」のとき「ディマー２点灯」で、出力レベル値が「−２２ｄＢｕ」のとき「点灯」である。つまり、表示灯６１の表示態様は、対応する出力レベル値（設定値）に応じて異なる。
【０１１２】
なお、１個の表示灯に対応する複数の出力レベル値と各出力レベル値に応じた表示態様とは、ディマー点灯に限られない。すなわち、１個の表示灯に対する複数の出力レベル値と各出力レベル値に応じた表示態様とは、表示灯の点灯色を出力レベル値に応じてそれぞれ異なる色に点灯させてもよい。
【０１１３】
さらに、同図は、第４基準値が「０ｄＢｕ」であることを示す。また、同図は、第４基準値「０ｄＢｕ」に対応する「第７表示灯６１ｇ」の表示態様が、調整中の出力レベル値（現出力レベル値）が第４基準値に一致するときは「点灯」であり、現出力レベル値が第４基準値以外のときは「点滅」であることを示す。すなわち、第４基準値に対応する第７表示灯６１ｇの表示態様は、後述するように、現出力レベル値が第３基準値に一致するまで「点滅」を繰り返し、現出力レベル値が第４基準値に一致すると「点灯」に変わる。本装置１のユーザは、複数の表示灯６１ａ，・・・，６１ｍのうち、点滅している第７表示灯６１ｇが点灯に変わることで、現出力レベル値が第４基準値に一致したこと、つまり、出力レベル調整処理における出力レベル値の調整が完了したことを把握することができる。
【０１１４】
ここで、例えば、現出力レベル値に対応する表示灯６１が「第５表示灯６１ｅ」のとき、１３個の表示灯６１のうち現出力レベル値より小さい出力レベル値に対応する「第１表示灯６１ａ」「第２表示灯６１ｂ」「第３表示灯６１ｃ」「第４表示灯６１ｄ」それぞれの表示態様も「点灯」である。現出力レベル値に対応する第５表示灯６１ｅの表示態様は、現出力レベル値に応じて、ディマー１点灯、ディマー２点灯、点灯、のいずれかである。
【０１１５】
また、１３個の表示灯６１のうち、現出力レベル値に対応する表示灯６１と、現出力レベル値より小さい出力レベル値に対応する表示灯６１と、第４基準値に対応する表示灯６１と、を除くその他の表示灯６１の表示態様は、「消灯」である。すなわち、例えば、現出力レベル値に対応する表示灯６１が「第５表示灯６１ｅ」で、第４基準値に対応する表示灯６１が「第７表示灯６１ｇ」のとき、「第６表示灯６１ｆ」「第８表示灯６１ｈ」「第９表示灯６１ｉ」「第１０表示灯６１ｊ」「第１１表示灯６１ｋ」「第１２表示灯６１ｌ」「第１３表示灯６１ｍ」それぞれの表示態様は、「消灯」である。
【０１１６】
図１９に戻る。
次いで、本装置１は、ユーザの調整操作に応じて現出力レベル値を調整する（Ｓ２２４）。
【０１１７】
次いで、本装置１は、調整後の現出力レベル値に対応する表示灯６１を点灯させる（Ｓ２２５）。
【０１１８】
次いで、本装置１は、現出力レベル値と第４基準値とが一致したか否かを判断する（Ｓ２２６）。
【０１１９】
現出力レベル値と第４基準値とが一致していないと判断されたとき（Ｓ２２６の「Ｎｏ」）、本装置１は、一致するまでユーザの調整操作に応じて現出力レベル値を再度調整する（Ｓ２２４）。
【０１２０】
現出力レベル値と第４基準値とが一致していると判断されたとき（Ｓ２２６の「Ｙｅｓ」）、本装置１は、点滅していた第４基準値に対応する第７表示灯６１ｇを点灯させる（Ｓ２２７）。第４基準値に一致した現出力レベル値は、ユーザによる確定操作、例えば、調整ダイヤル５１の押下操作に基づいて、選択された出力チャンネルの出力レベル値として記憶部４０に記憶される。
【０１２１】
このように、設定値と基準値とが一致していないとき、基準値に対応する表示灯６１の表示態様は「点滅」であり、同表示灯６１以外の表示灯の表示態様は「消灯」「ディマー１点灯」「ディマー２点灯」「点灯」のいずれかである。一方、設定値と基準値とが一致しているとき、基準値に対応する表示灯６１の表示態様は「点灯」であり、基準値よりも低い値（設定値）に対応する表示灯６１の表示態様は「点灯」であり、基準値よりも高い値（設定値）に対応する表示灯６１の表示態様は「消灯」である。つまり、各表示灯６１それぞれの表示態様は、各表示灯６１に対応する設定値と、基準値と、の関係に応じて異なる。
【０１２２】
●まとめ●
以上説明した実施の形態によれば、本装置１は、調整中のパラメータの設定値と、同設定値の基準値と、を同時に表示部６０に表示する。そのため、本装置１は、調整中のパラメータの設定値と、同設定値の基準値と、の差がどの程度あるのかをユーザに確認させながらパラメータの設定値を調整することができる。
【０１２３】
また、本装置１は、調整中のパラメータの設定値が基準値に一致するまで非特定表示態様の表示結果を表示し、調整中のパラメータの設定値が基準値に一致したときのみ、特定表示態様の表示結果を表示する。そのため、本装置１のユーザは、本装置１の表示結果が非特定表示態様から特定表示態様に変わることで、パラメータの設定値の調整が完了したことを把握することができる。
【０１２４】
さらに、本装置１は、「ゲイン調整処理（第１ゲイン調整処理、第２ゲイン調整処理）」と「レベル調整処理（入力レベル調整処理、出力レベル調整処理）」のいずれの調整処理対象においても、共通の表示部６０を使用する。そのため、本装置１は、調整処理の対象ごとに異なる目盛などの表示手段を備える必要がない。その結果、本装置１は、視認性や意匠性に優れる。
【０１２５】
なお、以上説明した実施の形態において、調整処理の対象は、「ゲイン調整処理（第１ゲイン調整処理、第２ゲイン調整処理）」と「レベル調整処理（入力レベル調整処理、出力レベル調整処理）」である。しかし、本装置において、調整処理の対象は、これらに限られず、例えば、イコライザの調整処理を行うようにしてもよい。この場合、本装置は、イコライザの調整処理においても、「ゲイン調整処理」や「レベル調整処理」と共通の表示灯６１を有する表示部６０を使用することができる。
【０１２６】
また、以上説明した実施の形態において、表示部６０は、１３個の表示灯で構成される。しかし、これに代えて、表示部は、１２個以下の表示灯、または、１４個以上の表示灯で構成されてもよい。
【符号の説明】
【０１２７】
１      信号処理装置
１１    モードボタン
２０    入力部
２１    入力チャンネルボタン
３０    増幅部
４０    記憶部
５０    調整部
５１    調整ダイヤル
６０    表示部
６１    表示灯
６１ａ  第１表示灯
６１ｂ  第２表示灯
６１ｃ  第３表示灯
６１ｄ  第４表示灯
６１ｅ  第５表示灯
６１ｆ  第６表示灯
６１ｇ  第７表示灯
６１ｈ  第８表示灯
６１ｉ  第９表示灯
６１ｊ  第１０表示灯
６１ｋ  第１１表示灯
６１ｌ  第１２表示灯
６１ｍ  第１３表示灯
７０    出力部
７１    出力チャンネルボタン
Ａ      入力部からの入力信号のレベル
Ｇ      ゲイン値
ＩＬ    入力チャンネルに設定された入力レベル値
ＯＬ    出力チャンネルに設定された出力レベル値
【図１】
2018220947.tif 000003
【図２】
2018220947.tif 000004
【図３】
2018220947.tif 000005
【図４】
2018220947.tif 000006
【図５】
2018220947.tif 000007
【図６】
2018220947.tif 000008
【図７】
2018220947.tif 000009
【図８】
2018220947.tif 000010
【図９】
2018220947.tif 000011
【図１０】
2018220947.tif 000012
【図１１】
2018220947.tif 000013
【図１２】
2018220947.tif 000014
【図１３】
2018220947.tif 000015
【図１４】
2018220947.tif 000016
【図１５】
2018220947.tif 000017
【図１６】
2018220947.tif 000018
【図１７】
2018220947.tif 000019
【図１８】
2018220947.tif 000020
【図１９】
2018220947.tif 000021
【図２０】
2018220947.tif 000022
【国際調査報告】
2018220947.tif 000023
2018220947.tif 000024
2018220947.tif 000025
2018220947.tif 000026